(57)【要約】【課題】犬や猫等の小動物の散歩等で汚れた足を洗浄し、簡単に洗浄液を拭き取り、洗浄後の排水及び収納が簡単に行える小動物の足洗浄機を提供する。【解決手段】  排水受け容器７に架台１０を設け、その架台の位置決めピン８に、前後の洗浄機の位置決め穴９を入れて各洗浄容器を固定し、その上に載せたカバー上で小動物の足を洗浄及び拭く事ができ、又、窪み１１に溜まった洗浄液排水を排水受け容器７に流し、排水受け容器を移動して中の排水を捨て、さらに、各々を分離して収納出来ることを特徴とした小動物の足洗浄機。【選択図】    図1
2011062156.tif 000002
【特許請求の範囲】
【請求項１】
前後の洗浄容器の一部に洗浄水を溜める事が出来る窪みを有し、その洗浄水を排水受け容器に流せるようにし、又、前後の洗浄容器の上面開口部に、取り外し出来る穴のあいたカバーを有する。さらに、排水受け容器を取り出して、中の洗浄液排水を捨てる事ができ、各々を分離して収納できる。以上の如く構成された小動物の足洗浄機。
【請求項２】
前後の洗浄容器に補助架台を設け、排水受け容器を自由に取り出しできるようにした事を特徴とした請求項１に記載の小動物の足洗浄機。
【請求項３】
前後の洗浄容器にちょう番等を取り付けて連結し、設置や収納を簡単に行えるようにしたことを特徴とした請求項１〜請求項２の何れかに記載の小動物の足洗浄機。
【請求項４】
前後の洗浄容器とカバーをそれぞれ一体化して小型軽量にし、超小型品種の動物の洗浄をテーブル等の狭い場所で行えるようにした事を特徴とした請求項１〜請求項３の何れかに記載の小動物の足洗浄機。
【発明の詳細な説明】
【技術分野】
【０００１】
本発明は、小動物の足洗浄機に属し、室内で飼っている犬、猫等のペットを散歩等で外出させた後、室内に入れる際に、そのペットの汚れた足を洗浄する洗浄機の技術分野に関するものである。
【背景技術】
【０００２】
室内で犬等の動物を飼っている人は多く、例えば室内犬を散歩等で外出させて帰ってきた際、動物の足に付着した砂や土、ごみ等の汚れは水道口場まで動物を抱えて運んで足洗いをしたり、濡らした雑巾等で拭いて落としてから、動物を室内に開放する事が多い。
【０００３】
また登録第３０８２７３６号登録実用新案公報には、上面が開口した洗浄液容器の底面にブラシを装着し、前記ブラシの毛足先端は、前記洗浄液容器の液面に対して斜めに形成された足裏洗浄器が記載されている。
【先行技術文献】
【特許文献】
【０００４】
【特許文献１】登録第３０８２７３６号登録実用新案公報
【発明の概要】
【発明が解決しようとする課題】
【０００５】
前記のように足裏が汚れた犬を、飼い主が水道口場まで抱えて運んで足洗いをしたり、水に濡らした雑巾で足裏を拭く作業は大変であり、又、犬の足裏に付着した汚れを十分に除去しないまま室内に入れてしまう場合もあり、ペットや室内の衛生上好ましくない。
【０００６】
これに対して、前記登録第３０８２７３６号登録実用新案公報に記載された洗浄器を使えば確かに、肉球の隙間に入った汚れを充分に落とす事ができるかもしれない。しかし、この洗浄器で大型犬の足裏を洗う場合、洗浄容器が大きくなり、広い収納場所を必要とし、
又、使用した洗浄液が多くなった場合の処理に困る恐れがある。さらに、洗浄後の足を拭く際に、犬を抱えた状態で４本の足を拭く事になり、飼い主に大きな負担となり、かかる点が解決すべき課題とされている。
【０００７】
したがって、本発明の目的は、犬等のペット（小動物）の散歩等で汚れた足を洗浄後、簡単に４本の足を雑巾等で拭き取る事ができ、又、使用した洗浄液を簡単に処理でき、さらに、各々を分離して収納できる洗浄機を提供する事にある。
【課題を解決するための手段】
【０００８】
請求項１記載の発明の小動物の足洗浄機は、前後の洗浄容器の一部に洗浄水を溜める事が出来る窪みを有し、その洗浄水を排水受け容器に流せるようにし、又、前後の洗浄容器の上面開口部に、取り外し出来る穴のあいたカバーを有する。さらに、排水受け容器を取り出して、中の洗浄液排水を捨てる事ができ、各々を分離して収納できる。以上の如く構成された小動物の足洗浄機。
【０００９】
請求項２記載の発明の小動物の足洗浄機は、前後の洗浄容器に補助架台を設け、排水受け容器を自由に取り出しできるようにした事を特徴とした請求項１に記載の小動物の足洗浄機。
【００１０】
請求項３記載の発明の小動物の足洗浄機は、前後の洗浄容器にちょう番等を取り付けて連結し、設置や収納を簡単に行えるようにしたことを特徴とした請求項１〜請求項２の何れかに記載の小動物の足洗浄機。
【００１１】
請求項４記載の発明の小動物の足洗浄機は、前後の洗浄容器とカバーをそれぞれ一体化して小型軽量にし、超小型品種の動物の洗浄をテーブル等の狭い場所で行えるようにした事を特徴とした請求項１〜請求項３の何れかに記載の小動物の足洗浄機。
【発明の効果】
【００１２】
請求項１記載の発明の小動物の足洗浄機は、排水受け容器に架台を設け、この架台に前後の洗浄容器の位置を決める位置決めピンを設ける。一方、前後の洗浄容器両端下部に位置決め穴を設け、位置決めピンの中に位置決め穴を入れて各々を連結し、固定する。前後の洗浄容器の一部に洗浄水を溜める事が出来る窪みがあり、又、窪みにある洗浄液を、排水受け容器に流す事ができるようにしてある。前後の洗浄容器の上面開口部に、取り外し出来る穴のあいたカバーを載せることで、その上の小動物の足を簡単に洗浄し、タオル等で拭く事ができる。又、使用後は排水受け容器を取り出し、中の洗浄液を捨てたり、各々を分離して収納できる効果が得られる。
【００１３】
請求項２記載の発明の小動物の足洗浄機は、前後の洗浄容器に補助架台を設けて、その下の排水受け容器と分離することで、排水受け容器をいつでも自由に取り出しできるようになり、複数の動物や、長時間洗浄を行うことが出来るようになる。
【００１４】
請求項３記載の発明の小動物の足洗浄機は、分離できる雌雄のちょう番を前後の洗浄容器に取り付けて連結することで、排水受け容器の位置決めピンに前後の洗浄容器の位置決め穴を同時に入れて設置する事ができ、又、収納する時も簡単に折りたたんで収納できる効果が得られる。
【００１５】
請求項４記載の発明の小動物の足洗浄機は、前後の洗浄容器とカバーをそれぞれ一体化して小型にすることで、トイプードルやチワワ等の超小型品種の動物洗浄が、テーブル等の狭い場所で行えるようになり、又、軽量化により持ち運びが簡単に行えるようになる。
【図面の簡単な説明】
【００１６】
【図１】小動物の足洗浄機の全体を示した斜視図である。
【図２】カバーの斜視図である。
【図３】前後の洗浄容器の斜視図である。
【図４】排水受け容器の斜視図である。
【図５】本発明の実施形態における小動物の足洗浄機の他の実施形態を示したもので、前後の洗浄容器の斜視図である。
【図６】本発明の実施形態における小動物の足洗浄機の他の実施形態を示したもので、排水受け容器の斜視図である。
【図７】本発明の実施形態における小動物の足洗浄機の他の実施形態を示したもので、分離できる雌雄のちょう番をそれぞれの洗浄容器に取り付けた斜視図である。
【図８】本発明の実施形態における小動物の足洗浄機の他の実施形態で、前後の洗浄容器とカバーを一体化して小型にした斜視図である。
【発明を実施するための形態】
【００１７】
請求項１〜４記載の本発明に係る小動物の足洗浄機の好適な実施形態を、以下図面に従って説明する。
【実施例１】
【００１８】
図１に示すように小動物の足洗浄機１は、前洗浄容器２と後洗浄容器３の開口上面に取り外し出来る穴６の開いた前カバー４と後カバー５をそれぞれの上に載せ、排水受け容器７に取り付けた架台１０にある位置決めピン８によって各洗浄容器が保持され、形成されている。前洗浄容器２と後洗浄容器３及び、前カバー４と後カバー５は同一形状で、図３に示すように、容器の一部に窪み１１があり、窪み１１に溜まった洗浄液を排水できるように、排水穴１２が開いている。この排水穴１２にゴム栓等の蓋（図示せず）をしておくと窪み１１に洗浄液を溜めることができ、そこで洗浄することもできる。尚、排水穴１２とゴム栓等の蓋をねじ込み式にして開閉しても良い。又、排水穴１１の代わりに各洗浄容器の側面を開閉（図示せず）できるようにし、開放して洗浄液を排水受け容器７に流しても良い。図３のように各洗浄容器両端下部には、位置決め穴９が開いており、図４に示す排水受け容器７に取り付けた架台１０の位置決めピン８の中に入れると各洗浄容器と排水受け容器７を連結し、固定する事ができる。尚、位置決めピン８と位置決め穴９の代わりに架台側に凹部（又は凸部）を設け、各洗浄容器側に凸部（又は凹部）を設けて嵌め込み式により固定する等の適当な固定保持手段により連結しても良い。図２では後カバー５を示し、前後のカバーには小動物の足の爪がひっかからない位の小さな穴６が開いており、固定されている各洗浄容器の上に載せると各カバーも同様に固定される。尚、穴の形は、多角形でもどのような形でも良い。図４の排水受け容器７と各洗浄容器と各カバーを組み合わせた状態が図１に示され、散歩等から帰ってきた犬等の小動物の前足を、前カバー４上へ、後ろ足を後カバー５上へ乗せる。ペットボトルやじょうろ等に水等の洗浄液を入れてそれを小動物の足にかけながら洗浄する。洗浄液排水は各カバーの穴６を通り、下にある各洗浄容器の窪み１１等に流れる。犬等の小動物が多少カバー上で動いても、各カバーは各洗浄容器に固定されているので安心して洗浄できる。洗浄後は、小動物の足４本と前カバー４、後カバー５をタオル等で拭き取り、そのまま小動物を移動させれば良い。又、汚れのひどい足の場合や消毒したい場合、各カバーを取り外し、排水穴１２に蓋（図示せず）をして、各洗浄容器の窪み１１に足を入れ、洗浄液や消毒液をかけながら洗浄し、又、窪みに溜まった洗浄液等で再度しっかり洗うことができる。各洗浄容器と排水受け容器７は簡単に分離できるので、色々な組み合わせが可能であり、より狭い場所等で利用できるようになる。洗浄後は、各パーツを取り外し分離して収納できる。尚、各洗浄容器や各カバー及び排水受け容器７は、４角形に限らず、円形やその他各種形状及び大きさのものを用いる事ができる。
【実施例２】
【００１９】
次に、排水受け容器７を自由に取り出すことができるようにした方法を説明する。
図５に示すように、前後の洗浄容器下部に補助架台１４を取り付けると、それぞれが独立して立つことができるようになる。又、図６に示すように排水受け容器７の架台１０を取り除き、図５の前洗浄容器２に突起１５（又は連結穴１６）を、後洗浄容器３に連結穴１６（又は突起１５）を設け、突起１５に連結穴１６を入れると、前洗浄容器２と後洗浄容器３は連結され固定できる。尚、突起１５と連結穴１６の代わりに前洗浄容器２に凹部（又は凸部）を設け、後洗浄容器３に凸部（又は凹部）を設けて嵌め込み式により固定する等の適当な固定保持手段により連結しても良い。これらにより、各洗浄容器と排水受け容器７は分離され、接触していないので、排水受け容器７をいつでも自由に取り出しでき、複数の動物の洗浄や長時間洗浄を行うことが出来るようになる。
【実施例３】
【００２０】
次に、ちょう番を利用して各洗浄容器を連結した時の使用方法について説明する。図７に示すように、前洗浄容器２の下部に雄ちょう番１７を取り付け、後洗浄容器３の下部に雌ちょう番１８を取り付ける。雌ちょう番１８に雄ちょう番１７を差し込んで連結し、図４の排水受け容器７の架台１０にある位置決めピン８を、各洗浄容器にある位置決め穴９に入れて固定する。尚、各洗浄容器に取り付けたちょう番は雌雄を逆にしても良い。これらにより実施例１のときと同じように、小動物の足の洗浄や洗浄液の拭き取りを行うことができ、洗浄後はちょう番を支点に取手１３を持って折りたたむ事ができ、簡単に設置及び収納を行うことができるようになる。
【実施例４】
【００２１】
次に、前後の洗浄容器とカバーをそれぞれ一体化して小型にしたときの使用方法について説明する。図８に示すように、前後の洗浄容器と前後カバーをそれぞれ一体化して小型にし、前後の洗浄容器下部に補助架台１４を取り付ける。又、この一体化した洗浄容器の下には図６と同じ排水受け容器７があるので、この洗浄容器と排水受け容器７は分離されて接触していないので、排水受け容器７をいつでも自由に取り出しでき、複数の動物の洗浄や長時間洗浄を行うことが出来るようになる。実施例１と同じように、一体化した洗浄容器の一部にも窪み１１（図示せず）があり、窪み１１に溜まった洗浄液を排水できるように、排水穴１２（図示せず）が開いている。尚、洗浄容器の窪み１１と排水穴１２と補助架台１４及び排水受け容器７の位置は、中央でなく両端等どの位置でも良い。排水穴１２にゴム栓等の蓋（図示せず）をしておくと窪み１１に洗浄液を溜めることができ、そこで洗浄することもできる。尚、排水穴１２とゴム栓等の蓋をねじ込み式にして開閉しても良い。又、排水穴１１の代わりに洗浄容器の側面を開閉（図示せず）できるようにし、開放して洗浄液を排水受け容器７に流しても良い。これらにより、トイプードルやチワワ等の超小型品種の動物洗浄がテーブル等の狭い場所で行え、又、軽量化により取手１３を持って移動が簡単に行えるようになる。
【符号の説明】
【００２２】
１    小動物の足洗浄機
２    前洗浄容器
３    後洗浄容器
４    前カバー
５    後カバー
６    穴
７    排水受け容器
８    位置決めピン
９    位置決め穴
１０    架台
１１    窪み
１２    排水穴
１３    取手
１４    補助架台
１５    突起
１６    連結穴
１７    雄ちょう番
１８    雌ちょう番  
【図１】
2011062156.tif 000003
【図２】
2011062156.tif 000004
【図３】
2011062156.tif 000005
【図４】
2011062156.tif 000006
【図５】
2011062156.tif 000007
【図６】
2011062156.tif 000008
【図７】
2011062156.tif 000009
【図８】
2011062156.tif 000010